【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
イオンをｎ−１（ｎは２以上の整数）段階に開裂させて質量分析を行った結果であるＭＳｎスペクトルを表示画面上に表示する質量分析データ処理装置であって、
a)複数のＭＳｎスペクトルと、該ＭＳｎスペクトルの基になったプリカーサイオンのm/zとを関連づけて記憶するデータ記憶手段と、
b)前記複数のＭＳｎスペクトルのそれぞれについて、該ＭＳｎスペクトルの基になったプリカーサイオンの質量電荷比m/zを前記データ記憶手段から読み出すプリカーサイオン特定手段と、
c)前記複数のＭＳｎスペクトルを、前記それぞれのプリカーサイオンの質量電荷比m/zの位置が前記表示画面の左右方向の同一位置に並ぶように、該表示画面上に上下に並べて表示させるスペクトル整列手段と、
を有することを特徴とする質量分析データ処理装置。
【請求項２】
更に、
d)前記表示画面の左右方向の一定寸法における質量電荷比m/zの大きさが前記複数のＭＳｎスペクトル同士で一致するように、前記複数のＭＳｎスペクトルのうち少なくとも一つを横軸方向に拡大又は縮小させるスペクトル拡縮手段、
を有することを特徴とする請求項１に記載の質量分析データ処理装置。
【請求項３】
更に、
e)前記表示画面上に表示された複数のＭＳｎスペクトルのそれぞれに、前記プリカーサイオンの質量電荷比m/zの位置を示す印を付加するプリカーサイオン位置付加手段、
を有することを特徴とする請求項１又は２に記載の質量分析データ処理装置。
【請求項４】
イオンをｎ−１（ｎは２以上の整数）段階に開裂させて質量分析を行った結果であるＭＳｎスペクトルを表示画面上に表示する質量分析データ処理装置であって、
a)複数のＭＳｎスペクトルと、該ＭＳｎスペクトルの基になったプリカーサイオンのm/zとを関連づけて記憶するデータ記憶手段と、
b)前記複数のＭＳｎスペクトルのそれぞれについて、該ＭＳｎスペクトルの基になったプリカーサイオンの質量電荷比m/zを前記データ記憶手段から読み出すプリカーサイオン特定手段と、
c)前記複数のＭＳｎスペクトルのそれぞれにおける質量電荷比m/zの値を、前記それぞれのプリカーサイオンの質量電荷比m/zの位置を基準とした相対値に変換するm/z変換手段と、
を有することを特徴とする質量分析データ処理装置。
【請求項５】
更に、
d)前記複数のＭＳｎスペクトルを、前記プリカーサイオン特定手段で特定されたそれぞれのプリカーサイオンの質量電荷比m/zの位置が前記表示画面の左右方向の同一位置に並ぶように、該表示画面上に上下に並べて表示させるスペクトル整列手段、
を有することを特徴とする請求項４に記載の質量分析データ処理装置。
【請求項６】
コンピュータを請求項１〜５のいずれかに記載の質量分析データ処理装置における各手段として機能させるためのプログラム。
【手続補正２】
【補正対象書類名】明細書
【補正対象項目名】００１２
【補正方法】変更
【補正の内容】
【００１２】
上記課題を解決するために成された第１発明に係る質量分析データ処理装置は、
イオンをｎ−１（ｎは２以上の整数）段階に開裂させて質量分析を行った結果であるＭＳｎスペクトルを表示画面上に表示する質量分析データ処理装置であって、
a)複数のＭＳｎスペクトルと、該ＭＳｎスペクトルの基になったプリカーサイオンのm/zとを関連づけて記憶するデータ記憶手段と、
b)前記複数のＭＳｎスペクトルのそれぞれについて、該ＭＳｎスペクトルの基になったプリカーサイオンの質量電荷比m/zを前記データ記憶手段から読み出すプリカーサイオン特定手段と、
c)前記複数のＭＳｎスペクトルを、前記それぞれのプリカーサイオンの質量電荷比m/zの位置が前記表示画面の左右方向の同一位置に並ぶように、該表示画面上に上下に並べて表示させるスペクトル整列手段と、
を有することを特徴としている。
【手続補正３】
【補正対象書類名】明細書
【補正対象項目名】００１７
【補正方法】変更
【補正の内容】
【００１７】
そこで、上記本発明に係る質量分析データ処理装置は、
d)前記表示画面の左右方向の一定寸法における質量電荷比m/zの大きさが前記複数のＭＳｎスペクトル同士で一致するように、前記複数のＭＳｎスペクトルのうち少なくとも一つを横軸方向に拡大又は縮小させるスペクトル拡縮手段、
を更に有するものとすることが望ましい。
【手続補正４】
【補正対象書類名】明細書
【補正対象項目名】００１８
【補正方法】変更
【補正の内容】
【００１８】
また、上記本発明に係る質量分析データ処理装置は、
e)前記表示画面上に表示された複数のＭＳｎスペクトルのそれぞれに、前記プリカーサイオンの質量電荷比m/zの位置を示す印を付加するプリカーサイオン位置付加手段、
を更に有するものとすることが望ましい。
【手続補正５】
【補正対象書類名】明細書
【補正対象項目名】００１９
【補正方法】変更
【補正の内容】
【００１９】
上記課題を解決するために成された第２発明に係る質量分析データ処理装置は、
イオンをｎ−１（ｎは２以上の整数）段階に開裂させて質量分析を行った結果であるＭＳｎスペクトルを表示画面上に表示する質量分析データ処理装置であって、
a)複数のＭＳｎスペクトルと、該ＭＳｎスペクトルの基になったプリカーサイオンのm/zとを関連づけて記憶するデータ記憶手段と、
b)前記複数のＭＳｎスペクトルのそれぞれについて、該ＭＳｎスペクトルの基になったプリカーサイオンの質量電荷比m/zを前記データ記憶手段から読み出すプリカーサイオン特定手段と、
c)前記複数のＭＳｎスペクトルのそれぞれにおける質量電荷比m/zの値を、前記それぞれのプリカーサイオンの質量電荷比m/zの位置を基準とした相対値に変換するm/z変換手段と、
を有することを特徴としている。
【手続補正６】
【補正対象書類名】明細書
【補正対象項目名】００２２
【補正方法】変更
【補正の内容】
【００２２】
なお、上記第２発明においても、共通のニュートラルロスの存在がより把握しやすくなるよう、
d)前記複数のＭＳｎスペクトルを、前記プリカーサイオン特定手段で特定されたそれぞれのプリカーサイオンの質量電荷比m/zの位置が前記表示画面の左右方向の同一位置に並ぶように、該表示画面上に上下に並べて表示させるスペクトル整列手段、
を更に設けることが望ましい。
【手続補正７】
【補正対象書類名】明細書
【補正対象項目名】００４１
【補正方法】変更
【補正の内容】
【００４１】
また、「プリカーサを基準に相対値表示」のラジオボタンを選択した場合は、上記の「プリカーサで揃える」を選択した場合と同様の処理に加えて、m/z変換部３５により、各スペクトル５３、５４の横軸の目盛りに付されたm/zの値をプリカーサイオンのm/zを基準とした相対値に変換する処理が実行される。例えば、上記の例では、変換前の目的スペクトル５３の横軸の目盛りに付された各m/zの値から同スペクトルのプリカーサイオンのm/zの値である「1000」がそれぞれ減算されると共に、比較対象スペクトル５４の横軸の目盛りに付された各m/zの値から同スペクトルのプリカーサイオンのm/zの値である「900」がそれぞれ減算され、減算後の値を目盛りに付与した目的スペクトル５３及び比較対象スペクトル５４が表示画面５０に表示される（図３）。ここで、変換後のm/zの値は、各ＭＳ２スペクトル上のピーク（プロダクトイオンのピーク）のm/zと該ＭＳ２スペクトルの基になったプリカーサイオンのm/zとの差を示しており、これは該プリカーサイオンの開裂によって該プロダクトイオンと共に生じたニュートラルロスの質量を反映している。従って、ユーザーは変換後の各スペクトル５３、５４に付されたm/zの値を読み取ることにより、各スペクトルの基になったプリカーサイオンの開裂によって、どのような質量を有するニュートラルロスが生じたかを容易に把握することができる。例えば、図３の例において、上述の共通ニュートラルロスａ関連ピークのm/z（相対値）は-600であり、共通ニュートラルロスｂ関連ピークのm/z（相対値）は-200である。このことから目的スペクトル５３と比較対象スペクトル５４とは、質量が200 Daであるニュートラルロスと、質量が600 Daであるニュートラルロスの二つの共通ニュートラルロスを有していることが分かる。